(57)【要約】【目的】パチンコ機などの遊技機の入賞口を通過した入賞球を遊技盤面上に沿って案内するための入賞球案内機構であって、その前面を効率よく発光・点滅させることができる入賞球案内機構を提供する。【構成】入賞口の近傍に配置されて入賞球を遊技盤面に沿って案内する案内通路を画定する遊技球案内部材と、案内通路の前面において前記遊技盤面と略平行な面内で延在する発光部と発光部に対して接合部を介して角度をもって接合する光導入部とを有する光案内部材と、光導入部の端面である光入射面に対向して設けられた発光素子と、を含む。ここで、接合部近傍には反射面が形成されており、発光部の前面のうちの一部の光出射領域を残して遮光性材料が与えられている。【選択図】図３
2007195870.tif 000002
【特許請求の範囲】
【請求項１】
遊技機の入賞口を通過した入賞球を遊技盤面に沿って案内する入賞球案内機構であって、
前記入賞口の近傍に配置されて前記入賞球を前記遊技盤面に沿って案内する案内通路を画定する遊技球案内部材と、
前記案内通路の前面において前記遊技盤面と略平行な面内で延在する発光部と前記発光部に対して接合部を介して角度をもって接合する光導入部とを有する光案内部材と、
前記光導入部の端面である光入射面に対向して設けられた発光素子と、を含み、
前記接合部近傍には反射面が形成されており、前記発光部の前面のうちの一部の光出射領域を残して遮光性材料が与えられていることを特徴とする入賞球案内機構。
【請求項２】
前記光案内通路の前面が前記光案内部材によって画定されていることを特徴とする請求項１記載の入賞球案内機構。
【請求項３】
前記光出射領域は発光部から突出形成されていることを特徴とする請求項１又は２記載の入賞球案内機構。
【請求項４】
前記光案内部材は光拡散性を有する材料からなることを特徴とする請求項１乃至３のうちの１に記載の入賞球案内機構。
【請求項５】
前記光導入部は前記発光部よりも大なる厚さを有することを特徴とする請求項１乃至４のうちの１に記載の入賞球案内機構。
【請求項６】
前記光導入部の幅は前記光入射面から前記接合部に向かって徐々に広くなっていることを特徴とする請求項１乃至５のうちの１に記載の入賞球案内機構。
【請求項７】
前記反射面は前記光入射面に対向する斜面であることを特徴とする請求項１乃至６のうちの１に記載の入賞球案内機構。
【請求項８】
前記斜面の表面には光反射膜が与えられていることを特徴とする請求項１乃至７のうちの１に記載の入賞球案内機構。
【請求項９】
前記発光素子の光出射部は平担であって、前記光入射面に密着して配置されることを特徴とする請求項１乃至８のうちの１に記載の入賞球案内機構。
【請求項１０】
前記発光素子は複数あって互いに発光色が異なることを特徴とする請求項１乃至９のうちの１に記載の入賞球案内機構。
【請求項１１】
前記遮光性材料は白色塗料であることを特徴とする請求項１乃至１０のうちの１に記載の入賞球案内機構。
【発明の詳細な説明】
【技術分野】
【０００１】
本発明は、パチンコ機などの遊技機における入賞口を通過した入賞球を遊技盤面に沿って案内するための入賞球案内機構に関する。
【背景技術】
【０００２】
パチンコ機などの遊技機の遊技盤面上には所定の遊技条件の成立等に従って発光・点滅して遊技者の遊技への興趣を高める演出物としての発光装飾物が多く設置されている。このような発光装飾物は一般的に透明又は半透明の樹脂材料などからなる立体成形体からなり、その内部に電球が埋設されて立体成形体の表面の一部若しくは全体を発光・点滅させているのである。
【０００３】
ここで遊技盤面に設けられた入賞口を通過した入賞球を案内する案内通路の前面を発光・点滅させる場合、上記した発光装飾物の機構では案内通路の前面に電球を配置しなければならないため、案内通路の大きさを十分にとることが出来なくなってしまう。また、案内通路の大きさを十分に確保しようとすると、電球と立体成形体との距離が近くなってしまうため、立体成形体の表面の発光・点滅部分の面積が小さくなってしまうのである。そこで光源を案内通路の外部に設置して、光源からの光を案内通路の前面の所定の発光・点滅部分まで光案内部材によって導く方法が公知である。
【０００４】
例えば、特許文献１では、いわゆるＶ入賞口装置の如き、上方に向けた開口を有する入賞口装置の前面を発光・点滅させる発光化粧体を用いた入賞球の案内機構が開示されている。該発光化粧体はＬ字状に屈曲成形された透明部材を含み、屈曲部の内側を入賞口装置の下面及び遊技者側に向けた面に沿って密着せしめて固定されている。光源となる電球は入賞口装置の下部に配置されて、発光化粧体の一端部近傍の収容穴に埋設されている。電球が発光すると、光は発光化粧体の内部に広がって、屈曲部で略直角に反射した光のみが発光化粧体の他端部へ向けて進行する。発光化粧体の内部には屈曲部から遠ざかる方向へ向けて階段状に並ぶ複数の反射部が形成されており、各反射部で反射した光が遊技者側へ向けて取り出されるのである。
【特許文献１】特開平２００４−１２１８１０
【発明の開示】
【発明が解決しようとする課題】
【０００５】
例えば、入賞口を通過した入賞球を遊技盤面の裏側に導くことなく、遊技盤面の表側に沿って略水平方向に案内する細長い案内通路に沿った前面を発光・点滅させる場合がある。かかる場合、特許文献１に開示された如き、案内通路の下部に電球を設けた発光化粧体では、１つの電球からの水平方向への光の広がりが小さいため、案内通路に沿って多数の光源及び発光化粧体を設けなければならない。また、案内通路の側部に電球を設置して発光化粧体を案内通路に沿って延長する場合にあっては、発光化粧体の長さに比例して階段状の反射部の数を多く設けなければならず、発光化粧体の厚さが大となってしまうため、結果として案内通路の大きさを十分にとることが出来ないのである。
【０００６】
本発明は、パチンコ機などの遊技機の入賞口を通過した入賞球を遊技盤面に沿って案内するための入賞球案内機構であって、その前面を効率よく発光・点滅させることのできる入賞球案内機構を提供する。
【課題を解決するための手段】
【０００７】
本発明による入賞球案内機構は、遊技機の入賞口を通過した入賞球を遊技盤面に沿って案内する入賞球案内機構であって、前記入賞口の近傍に配置されて前記入賞球を前記遊技盤面に沿って案内する案内通路を画定する遊技球案内部材と、前記案内通路の前面において前記遊技盤面と略平行な面内で延在する発光部と前記発光部に対して接合部を介して角度をもって接合する光導入部とを有する光案内部材と、前記光導入部の端面の光入射面に対向して設けられた発光素子と、を含み、前記接合部近傍には反射面が形成されており、前記発光部の前面のうちの一部の光出射領域を残して遮光性材料が与えられていることを特徴とする。
【０００８】
本発明によれば、光導入部に入射した光は光導入部と離間した発光部の一部の光出射領域だけで出射するので、所定部分を効率よく発光・点滅させることができるのである。
【発明を実施するための形態】
【０００９】
本発明による入賞球案内機構は、遊技球案内部材によって画定される案内通路の前面において遊技盤面と略平行な面内で延在し透明部材若しくは半透明部材で形成され且つ一部の光出射領域を残して光漏洩防止（遮光性）材料を与えられた発光部と、発光部の一端部に接合部を介して角度をもって接合された透明部材若しくは半透明部材からなる光導入部と、を含む。（ここで、案内通路の前面とは、案内通路の遊技者に対向する面である。）光導入部における接合部と反対側にある光入射面の近傍にはこれに対向するように光源が設置されている。好ましくは光源の出射面は平坦であって光入射面に密着している。接合部は反射面を形成し、反射面は光入射面に対向する斜面である。好ましくは、斜面に光反射膜が与えられる。好ましくは、光出射領域は発光部から前方に向けて突出形成されている。ここで光導入部が発光部よりも大なる厚さを有する場合、光導入部から発光部へと光を効率よく導くことが出来て好ましい。また、光導入部の幅を光入射面から接合部に向かって徐々に広くなるように形成した場合、光導入部から発光部へと光を効率よく導くことが出来て好ましい。
【００１０】
次に、本発明による入賞球案内機構の１つの実施例について、図１乃至図６を用いて更に詳細に説明する。
【００１１】
図１に示すように、遊技機１はパチンコ機の如き、遊技球を遊技盤２内へ向けて打ち出して遊技を行う遊技機である。遊技盤２の中央部には各種の遊技情報が表示される液晶パネルなどからなる表示部３ａを具備した中央役物装置３が設置されている。中央役物装置３の下方には、電動チューリップの如き、可動入賞口４が設置されている。中央役物装置３の側部近傍には落下してくる遊技球を受けとめるように上部へ向けた開口を有する始動入賞口（チャッカー）５が設けられている。始動入賞口５に遊技球が入球すると、図示しない中央制御装置のＣＰＵによって内部抽選が行われて、その結果に従って、可動入賞口４の下方にある大入賞口６の蓋体６ａが手前側に向けて回動し得るのである。蓋体６ａが回動すると、大入賞口６が開放されて、多くの遊技球を得る機会が遊技者に与えられる「当たり」状態となるのである。大入賞口６の下方には遊技盤２上を落下する遊技球が最終的に「はずれ」球として遊技機１の内部に回収される通路となる回収口７が設けられている。
【００１２】
更に図２を併せて参照すると、大入賞口６を挟んだ遊技盤２の両側には、モザイク状に成形された表面を有する装飾役物装置１０及び１１が設置されている。特に、装飾役物装置１０は遊技機１の遊技盤２に設けられたガイドレール８の一部にその側面を当接するようにして設置されている。装飾役物装置１０は、上部から順に入賞口２１、２２及び２３を具備している。入賞口２１及び２２は、遊技盤２の裏側に連通する第１の排出口２４にそれぞれ案内通路２５ａ及び２５ｂを介して連通している。また、入賞口２３は遊技盤２の裏側に連通する第２の排出口２６に案内通路２７を介して連通している。なお、入賞口２１、２２及び２３に遊技球が入球すると図示しないセンサーが働いて、所定数の賞球が遊技者に払い戻されるのである。装飾役物装置１０のモザイク状表面には２カ所の光出射領域２８及び２９があって、入賞口２１、２２及び２３への遊技球の入球や、所定の遊技条件の成立などに従って発光・点滅する。なお、光出射領域２８は、第１の排出口２４、案内通路２５ａ及び２５ｂの上にある。また、光出射領域２９は、第２の排出口２６及び案内通路２７の上にある。
【００１３】
更に、本発明による入賞球案内機構を含む装飾役物装置１０について、図１乃至６を参照しつつ詳細に説明する。
【００１４】
特に図３に示すように、装飾役物装置１０は、装飾部材３０、ベース部材４０、２つの光案内部材５０ａ及び５０ｂ、基板６０を含む。
【００１５】
図４を併せて参照すると、装飾部材３０は樹脂からなる成形体である。装飾部材３０のモザイク状に成形された表面と反対側の面には光案内部材５０ａ及び５０ｂを収容するために略矩形に切削された光案内部材収容部３１ａ及び３１ｂが設けられている。光案内部材収容部３１ａ及び３１ｂの近傍には、光案内部材５０ａ及び５０ｂを固定するための固定溝３２ａ及び３２ｂが設けられている。光案内部材収容部３１ａ及び３２ｂの底部にはモザイク状に成形された表面に貫通する多角形形状の貫通穴３３ａ及び３３ｂが設けられている。光案内部材収容部３１ｂからは後述するベース部材４０に立設されている隔壁（遊技球案内部材）４２及び４３をそれぞれ収容するための延長溝３４ａ及び３４ｂが切削加工されている。延長溝３４ａ及び３４ｂはそれぞれ装飾部材３０の側面に貫通しており、側面に略矩形の入賞口２１及び２２が設けられている。同様に、光案内部材収容部３１ａからは後述するベース部材４０に立設された隔壁（遊技球案内部材）４４を収容するための延長溝３５が切削加工されている。延長溝３５は装飾部材３０の側面に貫通しており、側面に略矩形の入賞口２３が設けられている。
【００１６】
特に図５を参照すると、ベース部材４０も樹脂からなる成形体である。ベース部材４０の平板状の基体４０’の中央部には、互いに平行に伸長する矩形の貫通穴である角形穴４１ａ及び４１ｂが加工されている。また、角形穴４１ａ及び４１ｂの両側にはそれぞれ遊技球が通過し得る大きさに基体４０’を貫通するようにして設けられた第１の排出口２４及び第２の排出口２６がある。基体４０’の上には、第１の排出口２４を囲み且つ案内通路２５ａ及び２５ｂの一部を画定するように隔壁（遊技球案内部材）４２及び４３が立設されている。同様に、基体４０’の上には、第２の排出口２６を囲み且つ案内通路２７の一部を画定するように隔壁（遊技球案内部材）４４が立設されている。
【００１７】
特に図６を参照すると、光案内部材５０ａは、アクリル樹脂などの透明若しくは半透明の樹脂からなる成形体である。好ましくは、光案内部材５０ａは、分散微細粒を含む透明樹脂又は半透明樹脂の如き、光拡散性を有する材料からなる。平板状の発光部５１の表面には、貫通穴３３ａの多角形形状に対応した形状の発光領域５２が肉盛り成形若しくは切削成形によって突出形成されている。発光部５１の長手方向の端部の一方には、発光部５１と角度を有して、典型的には略直角となるようにして光導入部５３が接着若しくは一体成形されている。光導入部５３の端面の光入射面５５は、発光部５１と略平行な面である。発光部５１と光導入部５３との間の接合部は、光導入部５３から進行してきた光を発光部５１の内部へと導くように光入射面５５に対して角度を有した斜面５４を形成している。斜面５４には光反射塗料が塗布されていることが好ましい。
【００１８】
ここで、好ましくは、光導入部５３の厚さは、発光部５１の厚さよりも大である。また、好ましくは、光導入部５３は、光入射面５５から接合部５４へ向けてその幅を徐々に広げた台形形状を有する。かかる特徴により、光導入部５３から射面５４を介して発光部５１へと光を効率よく導くことが出来るのである。なお、光案内部材５０ａは発光領域５２及び端面５５以外には遮光性塗料を塗布することが好ましく、例えば、白色塗料が塗布される。
【００１９】
光導入部５３の側面には装飾部材３０に光案内部材５０ａを固定するためのねじ留め突起５６が突設されている。
【００２０】
なお、光案内部材５０ｂは光案内部材５０ａと同様の部材であるため、ここでは詳述しない。
【００２１】
再び図３を参照すると、基板６０の上には、光案内部材５０ａを発光・点滅させるための発光ダイオード６１ａ及び６２ａ、光案内部材５０ｂを発光・点滅させるための発光ダイオード６１ｂ及び６２ｂがそれぞれ並んで固定されている。例えば、発光ダイオード６１ａ及び６１ｂは赤色に点灯し、発光ダイオード６２ａ及び６２ｂは緑色に点灯するように、互いに発光色が異なる発光ダイオードである。ここで、発光ダイオード６１ａ、６１ｂ、６２ａ、６２ｂは電球であってもよい。好ましくは、発光ダイオード６１ａ、６１ｂ、６２ａ、６２ｂの光出射面は平坦であって光案内部材５０ａ及び５０ｂの光入射面に密着可能な形状である。
【００２２】
次に、図３を参照して、本発明による入賞球案内機構の１つの実施例の組み立て方法を詳細に説明する。
【００２３】
装飾部材３０の光案内部材収容部３１ａ及び３１ｂには、光案内部材５０ａ及び５０ｂの発光部５１を先頭にしてそれぞれが嵌め込まれて収容される。このとき光案内部材５０ａ及び５０ｂのねじ留め突起５６は固定溝３２ａ及び３２ｂの内部に配置されて、互いにねじ留めされる。また、光案内部材５０ａ及び５０ｂの突出形成された発光領域５２はそれぞれ貫通穴３３ａ及び３３ｂに嵌合して装飾部材３０の表面のモザイクと連続したモザイク模様を装飾部材３０の表面に形成する。
【００２４】
次に、ベース部材４０の角形穴４１ａ及び４１ｂに光案内部材５０ａ及び５０ｂの光導入部５３を貫挿するようにして、ベース部材４０が装飾部材３０に取り付けられる。このとき、ベース部材４０の隔壁４４は、装飾部材３０の光案内部材収容部３１ａ及び延長溝３５内に位置するとともに、光案内部材５０ａの発光部５１の裏面、すなわち発光領域５２の形成面と反対側の面に当接する。また、隔壁４４の開口先端部４４’は入賞口２３に接続する。これにより、ベース部材４０の基体４０’、隔壁４４及び光案内部材５０ａによって遊技球の案内通路２７が形成されるのである。更に、ベース部材４０の隔壁４２及び４３は、装飾部材３０の光案内部材収容部３１ｂ内に位置するとともに、隔壁４２及び４３による開口先端部４５は延長溝３４ｂを介して入賞口２２に、同様に、開口先端部４６は延長溝３４ａを介して入賞口２１に接続している。また、隔壁４２及び４３は、光案内部材５０ｂの発光部５１の裏面、すなわち発光領域５２の形成面と反対側の面に当接している。これにより、ベース部材４０の基体４０’、隔壁４２、４３及び光案内部材５０ｂによって遊技球の案内通路２５ａ及び２５ｂが形成されるのである。
【００２５】
次に、基板６０は、ベース部材４０の基体４０’の角形穴４１ａ及び４１ｂに貫挿されてその裏面に突出している光案内部材５０ａ及び５０ｂの光導入表面５５の上に位置するようにベース部材４０に固定される。このとき、発光ダイオード６１ａ及び６１ｂは光案内部材５０ａの光導入表面５５に対向しており、好ましくはこれに当接して密着している。また、発光ダイオード６１ｃ及び６１ｄも光案内部材５０ｂの光導入表面５５に当接して密着している。以上の如く、発光ダイオード６１ａ、６２ａ、６１ｂ、６２ｂの光出射面は、光導入表面５５に当接して密着出来るように平坦であることが好ましいが、光出射面が平坦でなくとも、発光ダイオード６１ａ、６２ａ、６１ｂ、６２ｂを覆って、実質的に光導入表面５５にこれらを密着することのできるアダプタを用いても良い。
【００２６】
以上のようにして組み立てられた装飾役物装置１０は、遊技盤２の図示しない取り付け穴にベース部材４０の基体４０’を当接させるようにして取り付けられる。このとき、入賞口２１に入った遊技球はベース部材４０の基体４０’、隔壁４２、４３及び光案内部材５０ｂによって形成される遊技球案内通路２５ａに沿って排出口２４に導かれる。また、入賞口２２に入った遊技球はベース部材４０の基体４０’、隔壁４２、４３及び光案内部材５０ｂによって形成される遊技球案内通路２５ｂに沿って排出口２４に導かれる。また、入賞口２３に入った遊技球はベース部材４０の基体４０’、隔壁４４及び光案内部材５０ａによって形成される遊技球案内通路２７に沿って排出口２６に導かれる。
【００２７】
更に、本発明による入賞球案内機構を含む装飾役物装置１０の動作について説明する。
【００２８】
所定の遊技条件が成立すると基板６０に電流が流れて、発光ダイオード６１ａ、６２ａ、６１ｂ、６２ｂの１つ又は複数が発光・点滅する。発光ダイオード６１ａ、６２ａ、６１ｂ、６２ｂと、光案内部材５０ａ及び５０ｂの光導入表面５５は密着しているから、発光ダイオード６１ａ、６２ａ、６１ｂ、６２ｂから出射した光はほぼ全て光案内部材５０ａに導かれる。発光ダイオード６１ａ、６２ａ、６１ｂ、６２ｂから出射した光は光入射面５５に対して角度を有した斜面５４で反射して発光部５１へと進む。発光部５１の光出射領域２９は突出形成されているから、当該部分近傍を通過する光は反射・拡散せしめられて発光部５１の外部へと漏洩する。つまり、光出射領域２９が発光・点滅するのである。なお、光案内部材５０ａの発光部５１は、光出射領域２９を除いて、例えば、白色塗料のような遮光性塗料が与えられていることが好ましい。かかる場合、発光部５１へと進んだ光を光出射領域２９以外で外部に漏らすことがなく、光出射領域２９における発光効率を高めることが出来るのである。
【００２９】
また、発光部５１を光拡散性を有する材料で形成してもよい。かかる場合、光出射領域２９を突出形成せずとも、発光部５１の全体から光が漏洩しようとするのである。しかしながら光出射領域２９以外の発光部５１の前面は装飾部材３０で覆われているので、光出射領域２９だけが遊技者に発光・点滅しているように見えるのである。また、この場合も光出射領域２９を除いて、遮光性塗料を与えることで、光出射領域２９以外に光が漏洩することなく、発光効率を高めることが出来るのである。
【図面の簡単な説明】
【００３０】
【図１】本発明の１つの実施例である入賞球案内機構を含む遊技機の正面図である。
【図２】本発明による入賞球案内機構の分解斜視図である。
【図３】本発明による入賞球案内機構の要部の分解斜視図である。
【図４】本発明による入賞球案内機構の要部の分解斜視図である。
【図５】本発明による入賞球案内機構の要部の分解斜視図である。
【図６】本発明による入賞球案内機構の要部の分解斜視図である。
【符号の説明】
【００３１】
１                遊技機
２                遊技盤
３                中央役物装置
３ａ              表示器
４                可動入賞口
５                始動入賞口
６                大入賞口
６ａ              蓋体
１０、１１        装飾役物装置
２１、２２、２３  入賞口
２４              第１の排出口
２５ａ、２５ｂ、２７      案内通路
２６              第２の排出口
２８、２９        光出射領域
３０              装飾部材
３１ａ、３１ｂ    光案内部材収容部
３３ａ、３３ｂ    貫通穴
３４ａ、３４ｂ、３５      延長溝
４０              ベース部材
４０’            基体
４１ａ、４１ｂ    角形穴
４２、４３、４４  隔壁（遊技球案内部材）
５０ａ、５０ｂ    光案内部材
５１              発光部
５２              発光領域
５３              光導入部
５４              接合部
５６              ねじ留め突起
６０              基板
６１ａ、６１ｂ、６２ａ、６２ｂ  発光ダイオード
【図１】
2007195870.tif 000003
【図２】
2007195870.tif 000004
【図３】
2007195870.tif 000005
【図４】
2007195870.tif 000006
【図５】
2007195870.tif 000007
【図６】
2007195870.tif 000008